(57)【要約】【課題】  主装置或いは親機が管理するオートダイヤルを自由に使用し、オートダイヤルデータの登録に用いる記憶領域をできるだけ効率的に使用する。【解決手段】  オートダイヤルデータの登録時に、子機で行うキー入力の操作によって、親機で登録したオートダイヤル番号の中から任意に選んだ番号を子機の機能ボタンに割付け（Ｓ２０２、Ｓ２０３）、子機の操作で入力した機能ボタン情報は、親機の機能ボタン情報との対応テーブルの形態で主装置又は親機の管理下で保存される（Ｓ２０７，Ｓ２０８）。子機からのオートダイヤル発信操作時に、対応テーブルを用いて、子機の機能ボタン情報→親機の機能ボタン情報→電話番号等の変換を行う。【選択図】        図３
2005295101.tif 000002
【特許請求の範囲】
【請求項１】
親機に無線回線を介してコードレス子機を接続し、前記親機及びコードレス子機に複数の機能ボタンを有するコードレス電話機において、前記親機の機能ボタンに対応した機能情報を格納した機能情報記憶手段と、前記子機の機能ボタンに前記親機の任意の機能ボタンを割付ける割付手段を備えたことを特徴とするコードレス電話装置。
【請求項２】
請求項１に記載されたコードレス電話装置において、前記機能情報記憶手段を親機が備えていることを特徴とするコードレス電話装置。
【請求項３】
請求項２に記載されたコードレス電話装置において、前記子機は、子機の機能ボタンの操作に応じて機能ボタン情報を親機に送信する送信手段を有し、前記親機は、前記子機から送信されてくる機能ボタン情報を受信する受信手段と、前記受信手段で受信した機能ボタン情報を前記機能情報記憶手段に格納された情報に基づいて変換する変換手段を備えたことを特徴とするコードレス電話装置。
【発明の詳細な説明】
【技術分野】
【０００１】
本発明は、コードレス電話装置に関し、より特定すると、機能ボタンの利用に必要な情報を管理する親機を通してコードレス子機からの機能ボタンの利用を可能としたコードレス電話装置に関する。
【背景技術】
【０００２】
今日、電話機の主流になっているボタン電話機は、データをデジタル処理することが可能であるために、多様な付加機能の装備を実現している。その一つとして、オートダイヤルや短縮ダイヤルや電話帳機能がある。ボタン電話機におけるオートダイヤル機能は、電話番号を特定のボタンに割付ける登録を予め行い、ワンタッチ或いは少ないボタン操作による入力指示に従って、機能ボタンに割付け、登録された電話番号のオートダイヤル発信を行う機能である。
ところで、従来から広く普及している主装置或いは親機に複数の子機を接続した電話装置における子機としてもボタン電話機が用いられており、このような電話装置に装備するオートダイヤル機能などの機能ボタンにおいては、各ボタン電話機で使用するために登録した機能データは、主装置或いは親機のメモリに格納し、管理するのが一般的である。
【０００３】
主装置或いは親機のメモリにオートダイヤルデータなどの機能データを登録し、管理する此の種の電話装置における従来例として、下記特許文献１を挙げることができる。
特許文献１記載の電話装置は、登録したオートダイヤル番号を主装置のダイヤルメモリで各ボタン電話機（子機）毎に個別に用意されている記憶領域において管理する方式を採用する装置であり、同一のオートダイヤル番号を各子機における共通のボタンで使用可能とし、又同一のダイヤル番号を各子機で登録する非効率さを改善することをその目的とするものである。このために、全子機を対象にして同一のオートダイヤル番号の登録を行うこと、即ち、子機毎に個別に用意されている記憶領域において、共通のボタンに対応する全子機の記憶位置へ同一のオートダイヤル番号の登録を行うことを可能にする、としている。
また、主装置（親機）が装置のオートダイヤルデータを管理する方式のオートダイヤル機能を備えた此の種の電話装置においては、上記特許文献１のように、子機の操作によってオートダイヤルの登録を行う方法以外にも、主装置が独自に子機のオートダイヤルの登録を可能とする方法も従来から用いられている。さらに、此の種の電話装置として、主装置（親機）自身がオートダイヤル機能を利用した発信操作ができて、しかもオートダイヤルボタン数を子機よりも多く持っているような電話装置が従来から存在し、例えば、カールコードレス電話機の親機と子機にその例を見ることができる。
【特許文献１】特開平7-203507号公報
【発明の開示】
【発明が解決しようとする課題】
【０００４】
しかしながら、親機の機能ボタンよりも少ない機能ボタンしか持っていないような子機を持つカールコードレス電話機のような電話装置において、上記特許文献１に示したように、同一の機能ボタンを各電話機における共通の機能ボタンで使用できるように管理すると、次のような不具合が発生する。即ち、主装置或いは親機が登録した機能ボタンが子機にない機能ボタンに登録されているといった場合には、子機はその機能ボタンを利用することができない、という問題である。
本発明は、主装置或いは親機にコードレス子機を接続し、機能ボタンの利用を可能とした上記コードレス電話装置における従来の問題点に鑑み、これを解決するためになされたもので、その課題は、主装置或いは親機が管理する機能ボタンを自由に使用することを可能にすることにある。
【課題を解決するための手段】
【０００５】
請求項１の発明は、親機に無線回線を介してコードレス子機を接続し、前記親機及びコードレス子機に複数の機能ボタンを有するコードレス電話機において、前記親機の機能ボタンに対応した機能情報を格納した機能情報記憶手段と、前記子機の機能ボタンに前記親機の任意の機能ボタンを割付ける割付手段を備えたことを特徴とするコードレス電話装置である。
請求項２の発明は、請求項１に記載されたコードレス電話装置において、前記機能情報記憶手段を親機が備えていることを特徴とするものである。
請求項３の発明は、請求項２に記載されたコードレス電話装置において、前記子機は、子機の機能ボタンの操作に応じて機能ボタン情報を親機に送信する送信手段を有し、前記親機は、前記子機から送信されてくる機能ボタン情報を受信する受信手段と、前記受信手段で受信した機能ボタン情報を前記機能情報記憶手段に格納された情報に基づいて変換する変換手段を備えたことを特徴とするものである。
【発明の効果】
【０００６】
本発明によると、子機の機能ボタンに親機の任意の機能ボタンを割付け、親機の機能ボタンに対応した機能情報を利用可能としたことにより、親機の機能ボタン数が子機よりも多いカールコードレス電話機のような電話装置の場合にも、子機で使用できない機能ボタンが生じる、という従来方式（同一のオートダイヤル番号を各電話機における共通のボタンで使用する）において生じた不具合を無くし、親機が管理するオートダイヤルを自由に使用することが可能になる。
また、親機が管理するオートダイヤルの使用を子機からの操作により登録できるようにしたので、子機の都合で自由な設定をすることが可能になり、パーソナルに使うことが多い子機の利便性を向上することが可能になる。
【発明を実施するための最良の形態】
【０００７】
以下に、本発明に係わるコードレス電話装置を添付する図面とともに示す実施形態に基づき説明する。本実施形態は、コードレス子機を親機に接続した電話装置であり、親機側の装置として、主装置にオートダイヤルの発信操作が可能な親機を接続した構成の電話装置に適用した例を示す。
図１は、本実施形態のコードレス電話装置の構成を示すブロック図である。本実施形態では、図１に示すように、複数の外線３1 〜３n が接続される主装置１に複数のボタン電話親機５1 〜５m が線路４1 〜４m で接続されており、さらに親機５1 〜５mに複数のコードレス子機７1 〜７ｓが無線路６1 〜６ｓで接続されている。ここに、親機５1 〜５mは、オートダイヤルボタン数を子機よりも多く持つ。なお、図１に示す構成において、親機をカールコードレスとした場合には、カールコードレス電話機を本発明の適用対象にすることになる。なお、機能ボタンは、オートダイヤル発信に利用することが多いので、機能ボタンをオートダイヤルボタンとして説明する。
【０００８】
主装置１は、各外線３1 〜３n に対する信号の授受を行うための外線インタフェース１１1 〜１１n と、通話路スイッチ１２と、各ボタン電話親機５1 〜５m に対する信号の授受を行うための電話機インタフェース１３1 〜１３m と、主装置１の制御を行うＣＰＵ１４と、ＣＰＵ１４の実行するプログラム（オートダイヤルデータの登録処理を含む）や主装置内各部の初期設定値等を格納するＲＯＭ１５と、ワークメモリとして用いられ、制御動作等に必要なデータ、オートダイヤル用のダイヤルデータ（番号）テーブル等を格納するＲＡＭ１６を備える。上記のほか、外線保留時に保留メロディを当該外線へ送出する保留ＩＣ１７、外線からのＰＢ信号を外線インタフェース１１1 〜１１n 及び通話路スイッチ１２を介して受信するＰＢレシーバ１８、本装置を留守番電話装置として使用する場合に相手へのメッセージ出力及び相手からのメッセージを記録するための録音再生ＩＣ及びカセットメカ部１９及び２０を備える。
【０００９】
また、ボタン電話親機５1 〜５mは、通話回路５１、主装置１とデータ伝送を行う伝送回路５４、親機の制御を行うＣＰＵ５５、ＣＰＵ５５の実行するプログラム（オートダイヤルデータの登録処理を含む）や親機内各部の初期設定データ等を格納するＲＯＭ５８と、ワークメモリとして用いられ、制御動作等に必要なデータ、オートダイヤル用のダイヤル番号（データテーブル）等を格納するＲＡＭ５９と、表示回路５６、及び入力キーボード５７等を備える。また、コードレス子機７1 〜７ｓの通話や後述するオートダイヤル登録に必要なコマンド等を主装置１に中継する機能を持つので、通話路スイッチ５２と、各コードレス子機７1 〜７ｓに対する信号（通話信号、後述するオートダイヤル登録処理に係わる情報等）の授受を行うための電話機インタフェース５３を備える。ここに、キーボード５７は、複数のオートダイヤルボタンからなるオートキーＡ，ダイヤルキーＢ，オートダイヤルデータ等を登録するための登録キーＣ等を備える。
【００１０】
また、コードレス子機７1 〜７ｓは、通話回路７１、ボタン電話親機５1とデータ伝送を行う伝送回路７４、子機の制御を行うＣＰＵ７５、ＣＰＵ７５の実行するプログラム（オートダイヤル機能を用いて通話を要求する処理やオートダイヤルデータの登録処理を含む）や子機内各部の初期設定値等を格納するＲＯＭ７８と、ワークメモリとして用いられ、制御動作等に必要なデータ等を格納するＲＡＭ７９と、表示回路７６、及び入力キーボード７７等を備える。ここに、キーボード５７は、複数のオートダイヤルボタンからなるオートキーＡ，ダイヤルキーＢ，オートダイヤルデータ等を登録するための登録キーＣ等を備える。
【００１１】
ボタン電話親機５でオフフック操作が行われると、ＣＰＵ５５はフックスイッチＨＳの状態からオフフックを検出し、オフフック情報を伝送回路５４経由で主装置１へ送信し、続いてキーボード５７の外線ボタン（図示せず）の操作を検出すると、この操作情報を主装置１へ送信する。このとき、主装置１のＣＰＵ１４では、電話機インタフェース１３を介し、外線ボタン操作情報を受信すると、対応する外線インタフェース１１を制御し外線を捕捉する。
その後、ボタン電話親機５のキーボード５７にオートダイヤルボタンとして用意されているオートキーＡにオートダイヤルが登録されているとすると、オートキーＡが操作され、この操作ボタン情報を付したオートダイヤル発信コマンドが主装置１へ送信されると、主装置１のＣＰＵ１４ではＲＡＭ１６に登録されている親機の機能ボタンとオートダイヤル番号等の対応テーブルから該当する機能ボタンのオートダイヤル番号を読み出して、外線インタフェース１１へ送り、この信号を捕捉した外線へ送出させる（機能ボタンとオートダイヤル番号等の対応テーブルによるオートダイヤルデータの登録・管理方法の詳細については、後記で説明）。このダイヤル信号の捕捉外線への送出により相手の呼出が行われ、相手の応答により外線通話状態となる。
なお、コードレス子機７1 〜７ｓからオートダイヤル発信を要求する場合には、ボタン電話親機５を中継して行うことになるが、オートダイヤル発信動作そのものは、主装置１に対してボタン電話親機５が行う動作と基本的に異ならない。また、子機が発行するオートダイヤルデータの登録要求やオートダイヤルデータの管理方法の詳細については、後記で説明する。
【００１２】
上記の動作は、主装置１がオートダイヤルデータを管理する方法により、ボタン電話親機５或いはコードレス子機７1 〜７ｓからの要求によりオートダイヤル発信を行う場合について述べたが、ボタン電話親機５がオートダイヤルデータを管理する方法によっても実施することができるので、この場合について説明する。
ボタン電話親機５でオートダイヤルデータを管理する場合、親機自身或いはコードレス子機７1 〜７ｓのキーボードでオートキーＡが操作され、この操作ボタン情報を付したオートダイヤル発信コマンドが発行されると、ボタン電話親機５のＣＰＵ５５がコマンドを受け取り、そこに示される操作ボタン情報をもとに、ＲＡＭ５９で登録、管理している各電話機の機能ボタンとオートダイヤル番号等の対応テーブルから該当する機能ボタンのオートダイヤル番号を読み出す。
その後、ボタン電話親機５は、主装置１に対して読み出したオートダイヤル番号を相手先として指定して、外線等に接続する指示を与える。
このように、登録したオートダイヤルデータの管理は、主装置１、ボタン電話親機５のいずれか或いは両方で行う実施形態が考えられる。ボタン電話親機５で管理する場合は、親機を他の場所に移しても（主装置の別ポートに変更しても）、親機でオートダイヤル番号への変換を行うので、各電話機では同じオートダイヤルボタンの操作でこの機能を利用できる。また、主装置１で管理する場合は、各電話機のオートダイヤル操作によるボタン情報をボタン電話親機５はそのまま主装置１に送信し、これを受け取る主装置１がオートダイヤル番号への変換を行うので、ボタン電話親機５やコードレス子機を故障等で新らしいものに交換する場合にも、前の電話機と同じオートダイヤルボタンの操作でこの機能を利用できる。なお、子機からの操作によりオートダイヤル発信を行う時に行う、送信先番号の表示情報の処理シーケンスについては、後記（図５及び図６）でその例を示す。
【００１３】
次に、オートダイヤルデータの登録・管理方法について、以下に示す実施形態に基づいて詳細に説明する
本発明は、ボタン電話親機５によって登録されたオートダイヤル番号（電話番号等）をコードレス子機７1 〜７ｓが自由に使用することを可能にする。このために、子機からの入力操作によって、親機で登録したオートダイヤル番号の中から任意に選んだオートダイヤルの番号を子機の機能ボタンに割付ける。即ち、主装置１又はボタン電話親機５が電話番号等と関連付けて登録・管理している親機のオートダイヤル（機能ボタン）情報に、さらに子機のオートダイヤル（機能ボタン）情報を対応付けて登録する動作を行うようにする。
以下の登録動作では、先ず、子機による使用の前提となる親機が行うオートダイヤル登録動作について、次いで、子機が親機のオートダイヤル番号（機能ボタン）を子機のオートダイヤル番号（機能ボタン）に割付ける登録動作について、それぞれの処理フローに従って動作を説明する。
また、以下に示す実施形態では、オートダイヤル登録動作による親機及び子機の機能ボタン情報を付したオートダイヤルデータの管理は、主装置とボタン電話親機の両方で管理することを可能として、どちらかを選択できるような方法を採用する。
【００１４】
図２は、親機のオートダイヤル登録動作のフロー図を示す。
図２に示すフローは、ボタン電話親機５において、キーボード５７の登録キーＣに対するオペレータの操作によりＣＰＵ５５が起動する登録処理のプログラムの処理手順に従って登録処理を実行するが、処理手順を実行する際に、表示回路５６により、例えばＬＣＤ（図示せず）を動作させ、オペレータのキー操作を案内する表示を行うダイアログ形式のユーザインターフェースを用いて処理を進行させるようにする。
図２のフローを参照すると、先ずキーボード５７の登録キーＣをオペレータが操作したことを確認し（ステップＳ１０１-YES）、次いで、オートダイヤルデータの登録操作であるか、否かを、複数のボタンからなるオートキーＡからいずれかのボタンが選択、操作されたことを検知することによってチェックし（ステップＳ１０２）、この登録処理のフローに入る。ここで、オートキーＡが操作されない場合には、別の処理を選択しているので、その処理を実行する（ステップＳ１２１）。
【００１５】
オートキーＡのいずれかのボタンが選択された場合（ステップＳ１０２-YES）、オートダイヤルデータの登録処理に入り、まず、そのボタンに割付けるダイヤル（電話番号等）を入力するための画面をＬＣＤに表示する（ステップＳ１０３）。
画面表示に従ってキーボード５７のダイヤル数字（番号）キーに対するオペレータの入力操作が行われるたびに（ステップＳ１０４-YES）、画面に数字（番号）を表示することにより（ステップＳ１０５）、入力の確認ができるようにして、全てのダイヤル数字（番号）の入力が終了したかをチェックする（ステップＳ１０６）。
全てのダイヤル数字（番号）の入力が終了したならば（ステップＳ１０６-YES）、入力結果であるオートダイヤル番号等を機能ボタン情報（オートダイヤルキーＢの情報）と対応づけて、一旦ＣＰＵ５５制御下のメモリに保存する。その後、親機が装備する機能である、子機への割付け機能を利用するための入力画面を表示する（ステップＳ１０７）。この機能は、上記ステップＳ１０３〜１０６で登録した親機のオートダイヤルデータを子機から使用できるように、親機側でその登録の入力操作を可能とするもので、ステップＳ１０４〜１０６で入力したオートダイヤル番号等を子機のどのオートダイヤルキーＢのボタンに割付けるかを、表示された画面に従って入力することにより、登録操作を可能とする。
次いで、子機への割付け機能を利用するための入力操作を行ったか、否かをチェックし、子機の割付け入力を行った場合には（ステップＳ１０８-YES）、その入力による割付け結果を確認するための画面表示を行い（ステップＳ１０９）、オペレータによる確認を、例えば登録キーＣの押下をチェックすることにより行う（ステップＳ１１０-YES）。このときに、入力結果である子機の機能ボタン情報（オートキーＡの情報）を親機の機能ボタン情報に対応づけて（図４（Ｂ）参照）、一旦ＣＰＵ５５制御下のメモリに保存する。
親機が自身のオートダイヤルデータの登録のみを行う場合、即ち子機への割付機能を利用しない場合（ステップＳ１０８-NO）には、ステップＳ１０９及びＳ１１０をパスする。なお、本実施形態では、子機への割付け機能を利用するための手順を、親機のオートダイヤル登録動作のフローに組み入れたが、子機への割付け手順を除いた形態で実施することも可能であるし、子機への割付けを別の動作モードとして行うようにしても良い。
【００１６】
親機の登録のみの入力であることの確認（ステップＳ１０８-NO）、或いは子機の割付け機能を利用するための入力の終了を確認（ステップＳ１１０-YES）した後、いずれの場合も、入力を確認したオートダイヤルデータをメモリに保存、登録して、実際にオートダイヤル機能による発信を行うときに利用できるように管理する。本実施形態では、オートダイヤルデータの登録・管理は、主装置１とボタン電話親機５の両方で管理することを可能にしているので、予め主装置１のシステム設定でどちらにこの機能を持たせるかを定め、オートダイヤルデータを利用するボタン電話親機５或いはコードレス子機７1 〜７ｓにその設定を伝えておくようにする。
従って、登録処理の手順としては、入力されたオートダイヤルデータの登録・管理を主装置と親機のどちらでするかを、予め伝えられている設定データをチェックすることによって判断し（ステップＳ１１１）、親機自身で登録・管理を行う設定の場合には、ＣＰＵ５５は、ステップＳ１０６及びＳ１１０で登録操作によって、一旦メモリに保存した入力データをもとに、データテーブルのような登録・管理が可能な形態のオートダイヤルデータとして、制御下のＲＡＭ５９に保存する（ステップＳ１１２）。
【００１７】
図４は、登録したオートダイヤルデータの管理に用いるデータテーブルの例を示す。
図４の（Ａ）は、親機の機能ボタン情報（オートキーＡの情報）にオートダイヤル番号（電話番号）等を対応させたテーブルであり、親機の登録操作により入力したオートダイヤルデータはこのテーブルに反映される。つまり、上記ステップＳ１０３〜１０６の登録操作により入力した親機自身のオートダイヤルデータは、このテーブルに書き込まれる。また、図４の（Ｂ）は、親機の機能ボタン情報（オートキーＡの情報）に子機の機能ボタン情報（オートキーＡの情報）を対応させたテーブルであり、親機の登録操作或いは子機の登録操作（後述）により入力したオートダイヤルデータはこのテーブルに反映される。つまり、上記ステップＳ１０７〜１１０の登録操作により入力した子機のオートダイヤルデータは、このテーブルに書き込まれる。
【００１８】
ここに、図４（Ａ）に示すオートダイヤルデータについて説明を加えると、このテーブルには、オートダイヤル番号以外に機能ボタンに対応付けた機能情報として、例えば「外線１」、「会議」を載せている。このようなオートダイヤル以外の機能についても、子機から使用することは当然可能であり、本例でも、図４（Ｂ）に示すように、子機の機能ボタン「Ａ１」に親機「Ｆ１」の「外線１」、子機の機能ボタン「Ａ７」に親機「Ｆ１０」の「会議」を割付け、親機の機能を使用するような設定をしている。Ａ１・Ｆ１・外線１の場合、外線発信の機能で、外線に割付けたオートキーＡ１を押下することにより、外線１を捕捉することができる。また、外線１に着信がくると、オートキーＡ１が点滅し、着信音が鳴動する。着信状態のときに点滅している外線を押下すると、着信に応答することができる。Ａ７・Ｆ１０・会議の場合、外線（又は内線）通話中に、その通話を保留し、別の外線（又は内線）を呼出し通話を行う。この状態でオートキーＡ７を押下すると３者会議通話になる。このように、オートダイヤル番号以外の機能ボタンに対応付けた親機の機能情報についても、子機の機能ボタンを対応させておくことにより利用することができる。
【００１９】
図２のフローに戻ると、主装置１で登録・管理を行う設定の場合には（ステップＳ１０１-YES）、ＣＰＵ５５は、ステップＳ１０６及びＳ１１０で登録操作によって、一旦メモリに保存した入力データを主装置１に転送して、主装置のＣＰＵ１４制御下のＲＡＭ１６で保存しているテーブルデータ（図４参照）に書き込むことにより、主装置が登録・管理するオートダイヤルデータに反映させる（ステップＳ１１３）。
登録操作（ステップＳ１０６及びＳ１１０）により入力したオートダイヤルデータの管理テーブルへの書き込み後、親機のオートダイヤル登録動作のフローを終了する。
【００２０】
次に、コードレス子機７1 〜７ｓからの入力操作によるオートダイヤル登録動作について、その実施形態を示す。
図３は、子機のオートダイヤル登録動作のフロー図を示す。
図３に示すフローは、子機において、キーボード７７の登録キーＣに対するオペレータの操作によりＣＰＵ７５が起動するオートダイヤル登録処理のプログラムの処理手順に従って登録処理を実行するが、処理手順を実行する際に、表示回路７６により、例えばＬＣＤ（図示せず）を動作させ、オペレータのキー操作を案内する表示を行うダイアログ形式のユーザインターフェースを用いて処理を進行させるようにする。
図３のフローを参照すると、先ずキーボード７７の登録キーＣをオペレータが操作したことを確認し（ステップＳ２０１-YES）、次いで、オートダイヤルデータの登録操作であるか、否かを、複数の機能ボタンからなるオートキーＡからいずれかのボタンが選択、操作されたことを検知することによってチェックし（ステップＳ２０２）、この登録処理のフローに入る。ここで、登録キーＣの操作の後、オートキーＡが操作されない場合には、処理を終了させる。
【００２１】
オートキーＡのいずれかの機能ボタンが選択された場合（ステップＳ２０２-YES）、オートダイヤルデータの登録処理に入り、まず、そのボタンに割付けるダイヤル（電話番号等）の入力操作を行う（ステップＳ２０３）。ここでは、親機で登録したオートダイヤル番号の中から任意に選んだ番号を子機の機能ボタンに割付けるので、オートダイヤルデータを管理する主装置１或いはボタン電話親機５に要求して、親機で登録したオートダイヤルデータを取得し、それを画面表示し、その中から選んだ電話番号等をこのボタンに割付ける番号として指示する。従って、このときに子機の入力操作のために画面表示するオートダイヤルデータは、図４の（Ａ）に示す、親機の機能ボタン情報（オートキーＡの情報）にオートダイヤル番号（電話番号）等を対応させたテーブルに基づく一覧データを示す。
親機で登録した中から選んだオートダイヤル番号を機能ボタンに割付ける入力操作を受け付けた後、その結果をオペレータに画面表示し、入力結果を確認できるようにする（ステップＳ２０４）。
次いで、割付け結果を確認するための画面表示でオペレータによる確認操作を、例えば登録キーＣの押下をチェックすることにより行う（ステップＳ２０５-YES）。このときに、入力結果である子機の機能ボタン情報（オートキーＡの情報）を親機の機能ボタン情報に対応づけて（図４の（Ｂ）参照）、一旦ＣＰＵ７５制御下のメモリに保存する。
【００２２】
子機の機能ボタンへの割付け入力の終了を確認（ステップＳ２０５-YES）した後、入力を確認したオートダイヤルデータを登録して、実際にオートダイヤル機能による発信を行うときに利用できるように管理する。本実施形態では、オートダイヤルデータの登録・管理は、主装置１とボタン電話親機５の両方で管理することを可能にしているので、予め主装置１のシステム設定でどちらにこの機能を持たせるかを定め、オートダイヤルデータを利用するボタン電話親機５或いはコードレス子機７1 〜７ｓにその設定を伝えておくようにする。
従って、登録処理の手順としては、入力されたオートダイヤルデータの登録・管理を主装置と親機のどちらでするかを、予め伝えられている設定データをチェックすることによって判断し（ステップＳ２０６）、親機で登録・管理を行う設定の場合には、ＣＰＵ７５は、割付け操作（ステップＳ２０３〜Ｓ２０５）によって入力し、一旦メモリに保存したオートダイヤルデータを登録要求コマンドに付けて、親機に対し転送する（ステップＳ２０７）。なお、登録要求コマンドを受け取る親機では、子機設定のデータをもとに、データテーブル（図４の（Ｂ）に関する上記説明、参照）のような登録・管理が可能な形態のオートダイヤルデータとして、ＣＰＵ５５制御下のＲＡＭ５９に保存する。
他方、主装置で登録・管理を行う設定の場合には（ステップＳ２０６-YES）、割付け操作（ステップＳ２０３〜Ｓ２０５）によって入力し、一旦メモリに保存したオートダイヤルデータを登録要求コマンドに付けて、主装置に対して親機を経由して転送する（ステップＳ２０８）。なお、登録要求コマンドを受け取る主装置では、親機の場合と同様に、子機設定のデータをもとに、データテーブル（図４の（Ｂ）に関する上記説明、参照）のような登録・管理が可能な形態のオートダイヤルデータとして、ＣＰＵ１４制御下のＲＡＭ１６に保存する。
割付け操作（ステップＳ２０３〜Ｓ２０５）により入力したオートダイヤルデータの管理テーブルへの登録要求コマンドを送信した後、子機のオートダイヤル登録動作のフローを終了する。
【００２３】
ここで、上記のようにコードレス子機７1 〜７ｓのオートダイヤル登録動作により登録したオートダイヤルテーブルを用い、子機からの操作によりオートダイヤル発信を行う時に行う、送信先番号情報の処理シーケンス（表示データのフロー）を示す。オートダイヤルテーブルの管理を主装置１とボタン電話親機５のどちらで管理するかによって処理シーケンスを異にする。
図５は、親機でオートダイヤルテーブルを管理する場合の処理シーケンスを示す。
図５を参照すると、子機で入力キーボード７７におけるオートキーＡの「Ａ５」キーの押下によりオートダイヤル発信の操作が行われると（Ｓ５０１）、親機にキー情報としてデータ「Ａ５」を送信する（Ｓ５０２）。
親機は、子機から受け取ったデータ「Ａ５」を、登録されているオートダイヤルテーブル（図４参照）を用いて、親機のキー情報であるデータ「Ｆ７」を介して、相手の電話番号「０３−３ＸＸＸ−１２３５」へ変換し（Ｓ５０３）、変換した電話番号「０３−３ＸＸＸ−１２３５」を主装置に送信する（Ｓ５０４）。
主装置は、親機から受け取った電話番号「０３−３ＸＸＸ−１２３５」からその番号の表示に用いるための文字データを作成し（Ｓ５０５）、作成した表示データを親機及び子機への表示コマンドに付けて親機に送信する（Ｓ５０６）。
親機は、主装置から受け取った表示コマンドに従って表示データ「０３−３ＸＸＸ−１２３５」をＬＣＤにダイヤル表示し（Ｓ５０７）、また、子機への表示コマンドに対応して、表示データ「０３−３ＸＸＸ−１２３５」を子機に転送する（Ｓ５０８）。
子機は、親機から受け取った表示コマンドに従って表示データ「０３−３ＸＸＸ−１２３５」をＬＣＤにダイヤル表示する（Ｓ５０９）。  
【００２４】
図６は、主装置でオートダイヤルテーブルを管理する場合の処理シーケンスを示す。
図６を参照すると、子機で入力キーボード７７におけるオートキーＡの「Ａ５」キーの押下によりオートダイヤル発信の操作が行われると（Ｓ６０１）、親機にキー情報としてデータ「Ａ５」を送信する（Ｓ６０２）。
親機は、子機から受け取ったデータ「Ａ５」に対し、何の処理も加えずに主装置に送信するデータであるとの判断のもとに中継操作を行なって（Ｓ６０３）、データ「Ａ５」をそのまま主装置に送信する（Ｓ６０４）。
主装置は、親機から受け取ったデータ「Ａ５」を、登録されているオートダイヤルテーブル（図４参照）を用いて、親機のキー情報であるデータ「Ｆ７」を介して、相手の電話番号「０３−３ＸＸＸ−１２３５」へ変換し（Ｓ６０５）、得た電話番号「０３−３ＸＸＸ−１２３５」の表示に用いるための文字データを作成し（Ｓ６０６）、作成した表示データを親機及び子機への表示コマンドに付けて親機に送信する（Ｓ６０７）。
親機は、主装置から受け取った表示コマンドに従って表示データ「０３−３ＸＸＸ−１２３５」をＬＣＤにダイヤル表示し（Ｓ６０８）、また、子機への表示コマンドに対応して、表示データ「０３−３ＸＸＸ−１２３５」を子機に転送する（Ｓ６０９）。
子機は、親機から受け取った表示コマンドに従って表示データ「０３−３ＸＸＸ−１２３５」をＬＣＤにダイヤル表示する（Ｓ６１０）。  
上記のようにして、オートダイヤルテーブルを主装置１とボタン電話親機５のどちらで管理する場合も、コードレス子機７1 〜７ｓからのオートダイヤル発信の操作を実行することが可能になる。
【図面の簡単な説明】
【００２５】
【図１】本発明に係わるコードレス電話装置の構成の１例を示すブロック図である。
【図２】親機のオートダイヤル登録動作のフロー図を示す。
【図３】子機のオートダイヤル登録動作のフロー図を示す。
【図４】登録したオートダイヤルデータの管理に用いるデータテーブルの例を示す。
【図５】親機でオートダイヤルテーブルを管理する場合の処理シーケンスを示す。
【図６】主装置でオートダイヤルテーブルを管理する場合の処理シーケンスを示す。
【符号の説明】
【００２６】
１・・・主装置、５1〜５m・・・ボタン電話親機、７1〜７ｓ・・・コードレス子機、１４，５５，５７・・・ＣＰＵ、５７・・・キーボード。
【図１】
2005295101.tif 000003
【図２】
2005295101.tif 000004
【図３】
2005295101.tif 000005
【図４】
2005295101.tif 000006
【図５】
2005295101.tif 000007
【図６】
2005295101.tif 000008